(57)【要約】【課題】空気清浄機の吸入または吐出通路の流通抵抗を増大させることなく、ケーシングの厚みを減少させる。【解決手段】板状のフィルタ２７Ａをファン２６の吸入口または吐出口とケーシングＡの外板２０の間に配設し、フィルタと外板の間に形成される空間を吸入または吐出通路Ｃ１，Ｃ２，Ｂの少なくとも一部として、この空間への空気の導入を外板と平行する方向から行う。そしてフィルタは、空気が導入される側となる端縁２７Ａ１付近における外板との間の距離が端縁に近づくにつれて次第に増大するように配設する。フィルタは平板状でも断面がく字状に折曲された板状でもよい。フィルタの折曲部付近に沿って仕切板２２を設けてフィルタと外板の間の空間を２つの部分空間に分離し、それぞれを異なる空気吸入口１２，２３に連通してもよい。【選択図】    図２
2004162953.tif 000002
【特許請求の範囲】
【請求項１】
ケーシング内にファンを設け、このファンに空気を導入する吸入通路にフィルタを設けてなる空気清浄機において、
前記フィルタは板状のものとして前記ケーシングの外板と前記ファンの間に配設し、前記フィルタと前記外板の間の側方から前記外板と平行に空気が導入されるように前記フィルタと前記外板の間に前記吸入通路の少なくとも一部となる空間を構成し、この空間における前記フィルタと前記外板との間の距離は、空気が導入される側となる前記フィルタの端縁に近づくにつれて次第に増大するように配設したことを特徴とする空気清浄機。
【請求項２】
請求項１に記載の空気清浄機において、前記フィルタは平板状とし、前記外板との間の距離は前記端縁における値が最大で前記端縁と反対側の端縁における値が最小となるように前記外板に対し傾斜させて配設したことを特徴とする空気清浄機。
【請求項３】
請求項１に記載の空気清浄機において、前記フィルタは断面がく字状に折曲された板状とし、前記端縁側となる一方の半部は前記外板に対し傾斜させて前記端縁における前記外板との間の距離が最大となり、他方の半部は前記外板とほゞ平行となるように配設したことを特徴とする空気清浄機。
【請求項４】
請求項３に記載の空気清浄機において、前記フィルタの折曲部を円弧状に湾曲させたことを特徴とする空気清浄機。
【請求項５】
請求項２〜請求項４の何れか１項に記載の空気清浄機において、前記フィルタと前記外板の間に形成される空間を２つの部分空間に分離する仕切板をさらに設け、この仕切板よりも前記端縁側となる一方の部分空間には前記端縁と前記外板との間を介して第１の空気吸入口からの空気を供給し、他方の部分空間には前記第１の空気吸入口とは異なる位置に開口された第２の空気吸入口からの空気を供給するよう構成したことを特徴とする空気清浄機。
【請求項６】
請求項５に記載の空気清浄機において、前記第１の空気吸入口は室外からの外気を吸入し、前記第２の空気吸入口は室内からの内気を吸入するよう構成し、前記仕切板は、前記一方の部分空間に接する前記フィルタの面積を、前記他方の部分空間に接する前記フィルタの面積よりも小さくするように配設されることを特徴とする空気清浄機。
【発明の詳細な説明】
【０００１】
【発明の属する技術分野】
本発明は空気清浄機、特に建物などの壁に取り付けて使用するのに適した小形でコンパクトな空気清浄機に関する。
【０００２】
【従来の技術】
建物などに使用する空気清浄機には、室内空気吸引口からの室内空気と室外空気吸引口からの室外空気をファンを備えた空気清浄部に吸入して、空気吹き出し口から室内に吹き出すものがある（特許文献１）。
【０００３】
【特許文献１】
特開平１１−２３０４２公報（図１、図２、図１０）。
【０００４】
【発明が解決しようとする課題】
しかしながら、この特許文献１の空気清浄機は、排出される室内空気と吸入される室外空気の間で熱交換を行う熱交換器を備えているので構造が複雑で大形なものとなり、これに対しより小形でコンパクトな空気清浄機も要望されている。そこで出願人は、図６に示すような空気清浄機を開発した。この空気清浄機のケーシングＡは、何れも合成樹脂成形品であるケーシング本体１０と中間カバー１５と正面カバー２０からなるもので、これらにより吸入通路Ｃと左右の吐出通路Ｂ（図１も参照）が形成され、吸入通路Ｃに連なる中間カバー１５の中央凹部１６には羽根車２６ａとモータ２６ｂよりなる遠心ファン２６が取り付けられている。中央凹部１６より多少上側に形成された支持段部１７には集塵フィルタ２７が取り付けられ、正面カバー２０の両側部に形成された吹き出し口２１のすぐ内側に位置する吐出通路Ｂの末端部には脱臭フィルタ２８が取り付けられている。この空気清浄機は、ケーシング本体１０の段部１０ａより下側の部分が内壁板４０ａと外壁板４０ｂよりなる壁４０に形成した取付開口４０ｃ内に埋め込まれて取り付けられるようになっている。この空気清浄機では吸入通路Ｃはケーシング本体１０の背面側から外気を吸入し、正面カバー２０側から室内空気を吸入している。
【０００５】
遠心ファン２６が作動されれば、外壁板４０ｂに設けた吸入筒４１から吸入された室外の空気は吸入通路Ｃから集塵フィルタ２７を通って、中央凹部１６の開口１６ａと支持カバー１６ｂの間の吸入口から遠心ファン２６内に吸入される。遠心ファン２６から送り出された空気は両側の吐出通路Ｂから脱臭フィルタ２８を通って、正面カバー２０の両側部の吹き出し口２１から正面に向けて吹き出される。この空気は集塵フィルタ２７を通る際に塵埃が除去され、脱臭フィルタ２８を通る際に脱臭および有害ガスの除去もされて清浄化される。
【０００６】
この図６に示す空気清浄機は小形でコンパクトであるが、次のような問題を有している。すなわち、集塵フィルタ２７は正面カバー（外板）２０とほゞ平行に設けられており、吸入通路Ｃからの空気のうちケーシング本体１０の背面側から吸入される外気は集塵フィルタ２７と正面カバー２０の間の空間に左側方から外板２０と平行に導入される。この空気は集塵フィルタ２７の全面から遠心ファン２６に吸入されるので、この空間内の右向きの流速は右に進むにつれて減少し、空気が導入される側となる集塵フィルタ２７の左側の端縁２７ａで最大となり、この部分が吸入通路Ｃの流路抵抗のネックとなる。従って吸入通路Ｃの流通抵抗を減少させるために集塵フィルタ２７と正面カバー２０の間の距離Ｌを増大させようとすればケーシングＡの厚みが増大して空気清浄機をコンパクトにすることができず、また空気清浄機のコンパクト化のためにケーシングＡの厚みを減少させようとすれば集塵フィルタ２７と正面カバー２０の間の距離Ｌが減少して吸入通路Ｃの流通抵抗が増大するという問題がある。
【０００７】
以上は遠心ファンを用いた空気清浄機につき説明したが、同様な問題は軸流ファンを用いた空気清浄機にも存在し、その場合には吸入口に限らず吐出口に接近してフィルタを配設した場合にも同様な問題が生じる。
【０００８】
本発明は、フィルタをこのように配設した空気清浄機において、空気が導入される側となる端縁付近におけるフィルタと外板との間の距離がこの端縁に近づくにつれて次第に増大するように構成することにより、このような問題を解決することを目的とする。なお、図６に示す空気清浄機は、出願人における商品開発の一段階のものであり、それ自体は公知ではない。
【０００９】
【課題を解決するための手段】
このために、本発明による空気清浄機は、ケーシング内にファンを設け、このファンに空気を導入する吸入通路にフィルタを設けてなる空気清浄機において、フィルタは板状のものとしてケーシングの外板とファンの間に配設し、フィルタと外板の間の側方から外板と平行に空気が導入されるようにフィルタと外板の間に吸入通路の少なくとも一部となる空間を構成し、この空間におけるフィルタと外板との間の距離は、空気が導入される側となるフィルタの端縁に近づくにつれて次第に増大するように配設したことを特徴とするものである。
【００１０】
前項に記載の空気清浄機のフィルタは平板状とし、外板との間の距離は空気が導入される端縁における値が最大でこの端縁と反対側の端縁における値が最小となるように外板に対し傾斜させて配設することが好ましい。
【００１１】
前々項に記載の空気清浄機のフィルタは断面がく字状に折曲された板状とし、空気が導入される端縁側となる一方の半部は外板に対し傾斜させてこの端縁における外板との間の距離が最大となり、他方の半部は外板とほゞ平行となるように配設することが好ましい。
【００１２】
前項に記載の空気清浄機のフィルタは、折曲部を円弧状に湾曲させたものとしてもよい。
【００１３】
前３項に記載の空気清浄機は、フィルタと外板の間に形成される空間を２つの部分空間に分離する仕切板をさらに設け、この仕切板よりもフィルタの空気が導入される端縁側となる一方の部分空間にはこの端縁と外板との間を介して第１の空気吸入口からの空気を供給し、他方の部分空間には第１の空気吸入口とは異なる位置に開口された第２の空気吸入口からの空気を供給するよう構成することが好ましい。
【００１４】
前項に記載の空気清浄機は、第１の空気吸入口は室外からの外気を吸入し、第２の空気吸入口は室内からの内気を吸入するよう構成し、仕切板は、一方の部分空間に接するフィルタの面積を、他方の部分空間に接するフィルタの面積よりも小さくするように配設されることが好ましい。
【００１５】
【発明の作用および効果】
上述のように、本発明によれば、フィルタは板状のものとしてケーシングの外板とファンの間に配設し、フィルタと外板の間の側方から外板と平行に空気が導入されるようにフィルタと外板の間に吸入通路の少なくとも一部となる空間を構成し、この空間におけるフィルタと外板との間の距離は、空気が導入される側となるフィルタの端縁に近づくにつれて次第に増大するように配設したので、吸入通路または吐出通路の流路抵抗のネックとなる空気が導入される側であるフィルタの端縁における外板との間の距離を変えることなくフィルタと外板の間の空間の容積を減少させ、あるいはフィルタと外板の間の空間の容積を変えることなく空気が導入される側となるフィルタの端縁における外板との間の距離を増大させることができる。従って、前者の場合は吸入通路または吐出通路の流路抵抗を増大させることなくケーシングの厚みを減少させて空気清浄機を小形でコンパクトなものとすることができ、後者の場合はケーシングの厚みを増大させることなく吸入通路または吐出通路の流路抵抗を減少させることができる。
【００１６】
フィルタを平板状とし、外板との間の距離は空気が導入される端縁における値が最大でこの端縁と反対側の端縁における値が最小となるように外板に対し傾斜させて配設した空気清浄機によれば、前述した効果に加えて、従来と同様なフィルタを使用することができるので、製造コストならびにサービスおよびメンテナンスのコストを低下させることができる。
【００１７】
フィルタは断面がく字状に折曲された板状とし、空気が導入される端縁側となる一方の半部は外板に対し傾斜させてこの端縁における外板との間の距離が最大となり、他方の半部は外板とほゞ平行となるように配設した空気清浄機によっても、最初に述べた本発明の効果が得られる。く字状に折曲させた板状のフィルタの折曲部を円弧状に湾曲させたものについても同様である。
【００１８】
フィルタと外板の間に形成される空間を２つの部分空間に分離する仕切板をさらに設け、この仕切板よりもフィルタの空気が導入される端縁側となる一方の部分空間にはこの端縁と外板との間を介して第１の空気吸入口からの空気を供給し、他方の部分空間には第１の空気吸入口とは異なる位置に開口された第２の空気吸入口からの空気を供給するよう構成した空気清浄機によれば、仕切板の位置を異ならせることにより第２の空気吸入口から吸入される空気量に対する第１の空気吸入口から吸入される空気量の比率を変化させることができる。
【００１９】
第１の空気吸入口は室外からの外気を吸入し、第２の空気吸入口は室内からの内気を吸入するよう構成し、仕切板は、一方の部分空間に接するフィルタの面積を、他方の部分空間に接するフィルタの面積よりも小さくするように配設されるようにした空気清浄機によれば、内気よりも汚れが少ない外気が通過するフィルタの第１の半部の面積が内気が通過する第２の半部より小さいので、フィルタの汚れが均一に近づき、フィルタの一部分が特に汚れるということがなくなる。従って前述した各効果に加え、フィルタの寿命が長くなるという効果が得られる。
【００２０】
【発明の実施の形態】
先ず、図１〜図３に示す第１の実施の形態により、本発明による空気清浄機の説明をする。この実施の形態は、集塵フィルタ２７Ａおよびそれを取り付ける部分の構造を除き、先に説明した従来技術のものと同じであるので、主として先に説明を省略した部分につき説明する。この実施の形態の使用状態では、図１は水平方向から見たケーシング本体１０の正面図であり、図２は図１の矢印２−２に示すように下から上に向かって見たケーシングＡ全体の断面図であるが、以下の説明では便宜上、図２における上下を上下として説明する。
【００２１】
主として図１および図２に示すように、ケーシング本体１０は、上側が開いた横長の長方形の箱状で、内面の四辺の上下方向略中間部には、ほゞ一定幅の段部１０ａが形成されている。この段部１０ａより下側の内側には、ケーシング本体１０の底板から立ち上がる板状部分により、遠心ファン２６の羽根車２６ａに最も接近したタング部１１ｃから羽根車２６ａの回転方向（矢印Ｒ参照）に沿って移動した場合、遠心ファン２６の羽根車２６ａの外周からの距離が次第に増大する形状の、２つのスクロール１１ａ，１１ｂが点対称に形成されている。各スクロール１１ａの先端は段部１０ａと底板の間となるケーシング本体１０の左右の側板に連結され、タング部１１ｃからスクロール１１ａ，１１ｂと反対側に延びる延長部分１１ｄはケーシング本体１０の左右の側板と平行に延びて前後の側板に連結されている。
【００２２】
図１において左上部分となるスクロール１１ａと、段部１０ａより下側となるケーシング本体１０の２つの側板の間に形成される三角形の空間部の底板には、上向きの円筒状のフランジ１２ａが形成された第１の空気吸入口１２が設けられいる。発泡ポリスチロール製の筒体２５は、その内面２５ａの下部の小径部を第１の空気吸入口１２のフランジ１２ａの外周に嵌合させて取り付けられている。
【００２３】
中間カバー１５は、主として図２に示すように、四角い中央凹部１６よりも外側となる周辺部が、ケーシング本体１０の段部１０ａとスクロール１１ａ，１１ｂの上面に当接して支持されている。この四角い中央凹部１６の底面の中央には大きな丸い開口１６ａが形成され、この中央凹部１６には放射方向および円周方向の多数の支持桟を介して、円形の支持カバー１６ｂが開口１６ａと同心に支持されている。遠心ファン２６のモータ２６ｂはブラケット（図示省略）を介してこの支持カバー１６ｂに同心に取り付けられ、このモータ２６ｂのモータ軸の下端には、羽根車２６ａが取り付けられている。開口１６ａと支持カバー１６ｂの間の多数の支持桟が設けられた環状の隙間が遠心ファン２６の吸入口を形成している。
【００２４】
中間カバー１５には、図１にも二点鎖線で示すように、次に述べる正面カバー２０の両側（図１において右上と左下）に形成される各吹き出し口２１と対応する位置に長方形の吐出口１８が形成されている。図１において左側の吐出口１８の上側および右側の吐出口１８の下側には、段部１０ａおよびスクロール１１の上面に当接される棚板１９が形成されている（左側のものを図２に示す）。中間カバー１５をケーシング本体１０に取り付けた状態では、両スクロール１１ａ，１１ｂの間の空間の上側の大部分は中央凹部１６の下面と棚板１９により閉じられ、残る部分は吐出口１８に連通される。このスクロール１１ａ，１１ｂおよび吐出口１８により、遠心ファン２６の両側に設けられて羽根車２６ａから送り出される空気を各吹き出し口２１に導く１対の吐出通路Ｂが形成される。
【００２５】
正面カバー２０は、図１〜図３に示すように、ケーシング本体１０および中間カバー１５の上側全体を覆うもので、その両側（図１において右上と左下）には、多数のスリットよりなる長方形の吹き出し口２１が形成されている。この正面カバー２０内面には、後述するように中間カバー１５の中央凹部１６上に設けられる集塵フィルタ２７Ａの上面に当接して、正面カバー２０の内面と集塵フィルタ２７Ａの上面の間の空間を後述する第１吸入通路Ｃ１の一部（第１の部分空間）と第２吸入通路Ｃ２（第２の部分空間）に分離する仕切板２２が、下方に突出して一体成形されている。正面カバー２０には仕切板２２の右側となる中央部分に、第２吸入通路Ｃ２に連通される多数のスリットよりなる第２の空気吸入口２３が形成され、この第２の空気吸入口２３から吸入した室内の空気は第２吸入通路Ｃ２から集塵フィルタ２７Ａの一部を通って遠心ファン２６に導入される。
【００２６】
図１において左上となる中間カバー１５の棚板１９には、図２に示すように、第１の空気吸入口１２と対応する位置に、下向きのフランジ１９ｂが形成された円形の導入穴１９ａが設けられている。このフランジ１９ｂの外周には筒体２５の内面２５ａの上部が嵌合され、この筒体２５の内側と導入穴１９ａを介してこれと連なる上部の空間は、正面カバー２０の内面と集塵フィルタ２７Ａの上面の間の第１の部分空間に左側方から連通されて、正面カバー２０の内面と平行に第１の空気吸入口１２から室外の外気を導入するようになっており、これらにより外気を遠心ファン２６に導入する第１吸入通路Ｃ１が形成される。また図１において右下となる中間カバー１５の棚板１９上には、この空気清浄機の作動を制御する制御装置２９が設けられている。
【００２７】
図２に示すように、これらの第１吸入通路Ｃ１と第２吸入通路Ｃ２の両方にまたがって設けられる集塵フィルタ２７Ａは全体として板状で、第１の半部２７Ａ２と第２の半部２７Ａ３からなり、断面がく字状に折曲されている。第１の空気吸入口１２からの外気が導入される側である一方の半部２７Ａ２は正面カバー２０に対し傾斜させて、外気が導入される左側の端縁２７Ａ１における正面カバー２０の内面との間の距離Ｌａが最大となり、第２の空気吸入口２３からの室内空気が導入される側である他方の半部２７Ａ３は正面カバー２０とほゞ平行となるように配設される。このために中央凹部１６の高さ方向の途中に形成される支持段部１７Ａも、正面カバー２０とほゞ平行な部分１７Ａ２と正面カバー２０に対し傾斜した部分１７Ａ１とを有しており、集塵フィルタ２７Ａはこのような支持段部１７Ａに載置されてクリップ（図示省略）などにより離脱可能に係止されている。なお正面カバー２０に設ける仕切板２２は、集塵フィルタ２７Ａの左側の端縁２７Ａ１とほゞ平行に集塵フィルタ２７Ａの折曲部付近に沿って延びている。仕切板２２は、第１吸入通路Ｃ１の一部をなす一方の部分空間に接するフィルタ２７Ａの一方の半部２７Ａ２の面積が、第２吸入通路Ｃ２をなす他方の部分空間に接するフィルタ２７Ａの他方の半部２７Ａ３の面積よりも小さくなるように配設されている。集塵フィルタ２７Ａの素材は、濾紙、不織布、連続気泡発泡体など任意である。また、イオン化部と集塵部よりなる電気集塵機も集塵フィルタ２７Ａとして使用可能である。
【００２８】
各吐出通路Ｂの末端部には、正面カバー２０の吹き出し口２１を形成した部分とほゞ平行に、脱臭および有害ガスの除去を行う脱臭フィルタ２８が設けられている。この実施の形態の脱臭フィルタ２８は光触媒を用いたもので、触媒と活性炭とバインダを混入したものを、互いに平行に配設された小さい通路幅を有する多数のセル通路を形成するように押出成形してから所定の厚さに切断したハニカム構造のもので、通路幅は厚さよりもかなり小さくなっている。この実施の形態のセル通路の断面形状は小さい正方形であるが、六角形のものでもよいしその他の断面形状のものでもよい。各脱臭フィルタ２８よりも手前側（遠心ファン２６側）となる吐出通路Ｂ内には、この脱臭フィルタ２８を活性化させるための紫外線照射器２８ａが設けられている。
【００２９】
遠心ファン２６が作動されれば、第１吸入通路Ｃ１を介してケーシング本体１０の背面の第１の空気吸入口１２から吸入された外気と、第２吸入通路Ｃ２を介して正面カバー２０の中央部の第２の空気吸入口２３から吸入された室内空気は、何れも集塵フィルタ２７Ａから吸入口を通ってを通って遠心ファン２６に吸入される。遠心ファン２６への吸入口を形成する開口１６ａは四角い集塵フィルタ２７Ａおよびこれを支持する支持段部１７Ａよりも小さい円形であるが、支持段部１７Ａは中央凹部１６の高さ方向中間に形成されており、これにより集塵フィルタ２７Ａの下面と中央凹部１６の底面の間には相当な空間が形成されるので、空気は開口１６ａの外側となる集塵フィルタ２７Ａの周辺部をも通って吸入され、集塵フィルタ２７Ａはほゞ全面が有効に使用される。羽根車２６ａから送り出された空気は両側の吐出通路Ｂを通り、脱臭フィルタ２８を通って、正面カバー２０の両側部に形成された吹き出し口２１から正面に向けて吹き出される。各吸入通路Ｃ１，Ｃ２からの各空気は、集塵フィルタ２７Ａを通る際に塵埃が除去され、脱臭フィルタ２８を通る際に脱臭および有害ガスの除去がなされて清浄化される。
【００３０】
上述した第１の実施の形態では、集塵フィルタ２７Ａは全体として板状のものとして遠心ファン２６の吸入口ケーシングＡの正面カバー２０の間に配設し、集塵フィルタ２７Ａと正面カバー２０の間に形成される空間を吸入通路Ｃ１，Ｃ２の少なくとも一部としてこの空間に側方から正面カバー２０と平行に空気を導入するように構成し、また集塵フィルタ２７Ａは断面がく字状に折曲させ、外気が導入される側である一方の半部２７Ａ２は正面カバー２０に対し傾斜させて外気を導入する左側の端縁２７Ａ１における正面カバー２０の内面との間の距離Ｌａが最大となるようにしたので、第１吸入通路Ｃ１の流路抵抗のネックとなる外気が導入される側である集塵フィルタ２７Ａの左側端縁２７Ａ１における正面カバー２０の内面との間の距離Ｌａを変えることなく集塵フィルタ２７Ａと正面カバー２０の間の空間の容積を減少させ、あるいは集塵フィルタ２７Ａと正面カバー２０の間の空間の容積を変えることなく集塵フィルタ２７Ａの左側端縁２７Ａ１における正面カバー２０の内面との間の距離Ｌａを増大させることができる。前者の場合は第１吸入通路Ｃ１の吸入通路の流路抵抗を増大させることなくケーシングＡの厚みを減少させて空気清浄機を小形でコンパクトなものとすることができ、また後者の場合はケーシングＡの厚みを増大させることなく第１吸入通路Ｃ１の吸入通路の流路抵抗を減少させることができる。
【００３１】
支持段部１７Ａの正面カバー２０に対し傾斜した部分１７Ａ１の第１の空気吸入口１２側となる先端縁を、従来よりも中央凹部１６の底面に接近させることにより、接近させた分だけケーシングＡの厚みは減少する。そのようにしても集塵フィルタ２７Ａと中央凹部１６の底面の間の距離の減少は局部的であるので、前述した集塵フィルタ２７Ａの全面的有効使用に悪影響を及ぼすことはない。
【００３２】
なお、外気が導入されるフィルタ２７Ａの第１の半部２７Ａ２と正面カバー２０の間の第１の部分空間は、端縁２７Ａ１から右に進むにつれて高さが減少するが、端縁２７Ａ１側から第１の部分空間に導入される外気は、フィルタ２７Ａの第１の半部２７Ａ２の全面を通って遠心ファン２６側に吸入されるので、この第１の部分空間内の流量は右に進むにつれて減少する。従ってこの部分空間の高さが右に進むにつれて減少しても、それによりこの部分空間を通る外気の流通抵抗が増大することはなく、この流通抵抗は一方の半部２７Ａ２の左側の端縁２７Ａ１における正面カバー２０の内面との間の距離Ｌａにより定められる。
【００３３】
また上述した第１の実施の形態では、集塵フィルタ２７Ａの折曲部に沿って延びる仕切板２２を正面カバー２０に設けて集塵フィルタ２７Ａと正面カバー２０の間に形成される空間を２つの部分空間に分離し、仕切板２２よりも端縁２７Ａ１側となる一方の部分空間（第１吸入通路Ｃ１の一部）には端縁２７Ａ１と正面カバー２０の内面との間を介して第１の空気吸入口１２からの外気を供給し、他方の部分空間（第２吸入通路Ｃ２）には第２の空気吸入口２３からの室内空気を供給するようにしたので、傾斜して配設された一方の半部２７Ａ２については前述した効果が得られるのに加え、仕切板２２の位置を異ならせることにより第２の空気吸入口２３から吸入される空気量に対する第１の空気吸入口１２から吸入される空気量の比率を変化させることもできる。しかしながら本発明はこれに限られるものではなく、仕切板２２を省略して実施することも可能である。なお説明は省略したが、第１吸入通路Ｃ１にシャッタを設けて、外気の流量を０からある範囲において調整することも可能である。
【００３４】
また室内から吸入される内気は室外から吸入される外気に比して汚れており、従って外気が通過する集塵フィルタ２７Ａの一方の半部２７Ａ２よりも、内気が通過する他方の半部２７Ａ３の方が汚れがひどくなり、この汚れにより集塵フィルタ２７Ａの寿命は定められる。しかし上述した第１の実施の形態では、第１吸入通路Ｃ１の一部をなす一方の部分空間に接して室外から吸入される外気が通過する集塵フィルタ２７Ａの一方の半部２７Ａ２の面積を、第２吸入通路Ｃ２をなす他方の部分空間に接して室内から吸入される内気が通過する他方の半部２７Ａ３の面積よりも小さくしており、これにより集塵フィルタ２７Ａの各半部２７Ａ２，２７Ａ３の汚れは均一に近づき、他方の半部２７Ａ３の汚れが特にひどく汚れるということがなくなるので、集塵フィルタ２７Ａの寿命が長くなるという効果が得られる。
【００３５】
なお上述した第１の実施の形態では、遠心ファン２６を使用してその吸入口側に集塵フィルタ２７Ａを設けた例につき説明したが、本発明は遠心ファンの代わりに軸流ファンを使用して実施することも可能である。またフィルタは全体として板状のものであれば集塵フィルタに限らず脱臭フィルタでもよい。さらに板状のフィルタの各半部２７Ａ２，２７Ａ３は一体に結合されたものでもよく、あるいは別体として支持段部１７Ａの傾斜した部分１７Ａ１と平行な部分１７Ａ２にそれぞれ別々に取り付けてもよい。
【００３６】
図４に示す第２の実施の形態は、く字状に折曲された板状の集塵フィルタ２７Ｂの第１の半部２７Ｂ２と第２の半部２７Ｂ３の間の折曲部を円弧状に湾曲させた点だけが上述した第１の実施の形態と異なっており、その他の構造は第１の実施の形態と同一である。従って同一部分に同一符号を付して示すだけとし、詳細な説明は省略する。この第２の実施の形態の作用および効果は、第１の実施の形態と実質的に同一であり、変形例も同様なものが可能である。
【００３７】
次に図５に示す第３の実施の形態は、集塵フィルタ２７Ｃは全体として平板状とし、正面カバー２０の内面との間の距離は外気が導入される側となる左側の端縁２７Ｃ１における値が最大でこれと反対側の端縁における値が最小となるように正面カバー２０に対し傾斜させて中央凹部１６に取り付けたものである。その他の構造は第１の実施の形態と同一であるので、同一部分に同一符号を付して示すだけとし、詳細な説明は省略する。
【００３８】
この第３の実施の形態によれば、図６に示す従来と同様な集塵フィルタ２７を使用することができるので、製造コストならびにサービスおよびメンテナンスのコストを低下させることができる。その他の作用および効果は、第１の実施の形態と実質的に同一であり、変形例も同様なものが可能である。この第３の実施の形態は、仕切板２２を設けない空気清浄機に適用した例を示したが、仕切板２２を備えた空気清浄機に適用することも可能である。
【００３９】
なお上述した各実施の形態では、フィルタと対向して吸入通路の一部となる空間を形成する部材は正面カバー２０としたが、本発明はこれに限られるものではなく、ケーシングＡの任意の部分の外板の内面とフィルタの間に吸入通路の一部となる空間を形成するするようにしてもよい。
【００４０】
また上述した各実施の形態では、何れも室外の空気を吸入する第１吸入通路Ｃ１および室内の空気を吸入する第２吸入通路Ｃ２の両方を備えた空気清浄機につき説明しているが、本発明はこれに限られるものではなく、この両吸入通路の何れか一方のみを備えた空気清浄機にも適用可能である。
【図面の簡単な説明】
【図１】本発明による空気清浄機の第１の実施形態のケーシング本体を示す正面図である。
【図２】上述した第１の実施形態の組立状態における、図１の２−２線に沿った全体断面図である。
【図３】上述した第１の実施形態の組立状態における全体斜視図である。
【図４】本発明による空気清浄機の第２の実施形態の図２に相当する全体断面図である。
【図５】本発明による空気清浄機の第３の実施形態の図２に相当する全体断面図である。
【図６】出願人における商品開発の一段階における空気清浄機の一例の図２に相当する全体断面図である。
【符号の説明】
１２…第１の空気吸入口、２０…外板（正面カバー）、２３…第２の空気吸入口、２６…ファン（遠心ファン）、２７Ａ，２７Ｂ，２７Ｃ…フィルタ、２７Ａ１，２７Ｂ１，２７Ｃ１…端縁、２７Ａ２，２７Ｂ２…一方の半部、２７Ａ３，２７Ｂ３…他方の半部、Ａ…ケーシング、Ｂ…吐出通路、Ｃ１，Ｃ２…吸入通路（第１吸入通路、第２吸入通路）。
【図１】
2004162953.tif 000003
【図２】
2004162953.tif 000004
【図３】
2004162953.tif 000005
【図４】
2004162953.tif 000006
【図５】
2004162953.tif 000007
【図６】
2004162953.tif 000008